(57)【要約】【課題】  木下地の木痩せによって筋状の段差が発生するのを可及的に抑制し、出隅コーナー部の表面側を意匠的に優れた状態に維持することができる出隅コーナー部構造及びその施工方法を提供する。【解決手段】  出隅コーナー部構造１は、木下地２と、この木下地２のコーナー部ｃ１に当てられた出隅鋼板３と、この出隅鋼板３の上から当てられた面材４と、出隅鋼板３及び面材４を止着してこれら出隅鋼板と面材を木下地２に固定する固定具５と、を備えて構成されている。出隅鋼板３は断面略Ｌ型または断面コ型の鋼材からなり、この鋼材の角部が前記木下地のコーナー部に当てられている。【選択図】        図１
2019019635.tif 000002
【特許請求の範囲】
【請求項１】
木下地と、この木下地のコーナー部に当てられた出隅鋼板と、この出隅鋼板の上から当てられた面材と、前記出隅鋼板及び面材を共締めしてこれら出隅鋼板と面材を前記木下地に止着する固定具と、を備えてなることを特徴とする出隅コーナー部構造。
【請求項２】
前記固定具が、ねじ釘であることを特徴とする請求項１に記載の出隅コーナー部構造。
【請求項３】
前記出隅鋼板は断面略Ｌ型または断面コ型の鋼材からなり、この鋼材の角部が前記木下地のコーナー部に当てられている請求項１又は２に記載の出隅コーナー部構造。
【請求項４】
前記出隅鋼板が、前記木下地の複数のコーナー部のうち少なくとも２箇所以上のコーナー部に当てられていることを特徴とする請求項１乃至３のいずれか一項に記載の出隅コーナー部構造。
【請求項５】
前記出隅鋼板には少なくとも２枚以上の面材が当てられ、それぞれの面材が前記出隅鋼板とともに前記固定具で止着されて前記木下地に固定していることを特徴とする請求項１乃至４のいずれか一項に記載の出隅コーナー部構造。
【請求項６】
木下地のコーナー部に出隅鋼板を当て、その出隅鋼板の上から面材を当ててから、前記出隅鋼板及び前記面材を固定具で止着してこれら出隅鋼板と面材を前記木下地に固定することを特徴とする出隅コーナー部の施工方法。
【請求項７】
前記固定具がねじ釘であることを特徴とする請求項６に記載の出隅コーナー部の施工方法。
【請求項８】
前記出隅鋼板を断面略Ｌ型または断面コ型の鋼材で構成し、この鋼材の角部を前記木下地のコーナー部に当てることを特徴とする請求項６又は７に記載の出隅コーナー部の施工方法。
【請求項９】
前記出隅鋼板を、前記木下地の複数のコーナー部のうち少なくとも２箇所以上のコーナー部に当てることを特徴とする請求項６乃至８のいずれか一項に記載の出隅コーナー部の施工方法。
【請求項１０】
前記出隅鋼板に少なくとも２枚以上の面材を当て、それぞれの面材を前記出隅鋼板とともに前記固定具で止着して前記木下地に固定することを特徴とする請求項６乃至９のいずれか一項に記載の出隅コーナー部の施工方法。
【発明の詳細な説明】
【技術分野】
【０００１】
この発明は、出隅コーナー部構造及びその施工方法に関し、さらに詳しくは建物の木製の柱や梁等が乾燥を原因として収縮・変形しても、その出隅コーナー部の表面に筋状の段差が発生するのを抑止することが可能な技術に係るものである。
【背景技術】
【０００２】
建物の柱や梁等の表面に合成樹脂クロス等の壁装材を貼着する際に、仕上げをきれいにするために、下地面を凹凸のない平坦な面に仕上げておく必要がある。そのため、柱や梁等の出隅コーナー部には、その表面にせっこうボードを布設したうえ、軟質で薄肉の板状合成樹脂材で形成したＬ型のコーナー材を用いている。そして、柱や梁等の表面に対してコーナー材との段差をなくして平坦な面を形成するように該表面及びコーナー材の表面に塗料やパテ（以下、「パテ」と総称する）を塗布し、この後に該表面にクロス貼りをして仕上げている（例えば特許文献１）。
【０００３】
すなわち、特許文献１に開示されている出隅コーナー部構造は、図１０及び図１１に示すように、まず一枚のせっこうボード４０ａを柱２０の角に合わせて布設し、次にもう一枚のせっこうボード４０ｂを先に布設したせっこうボード４０ａの端面を被せて、先に布設したせっこうボード４０ａの表面と後から布設するせっこうボード４０ｂの端面が面一になるように布設する。そして両せっこうボードにより出来た出隅コーナー部に角を補強するクロス下地コーナー材３０を貼着し、そしてその表面にパテを介してクロス５０を貼って仕上げている。クロス下地コーナー材３０としては、鋼製コーナーボードや樹脂コーナー材が用いられる。
【０００４】
しかし、上記のような出隅コーナー部の構造では、小口が突き出されたような形になってクロスに段差（図１０及び図１１の符号Ｓ）が施工後２年以内に発生することが多く、特に冬場の暖房器具を長期間使用する機会の多い北海道などの寒冷地では段差発生が当たり前ないし普通のことと考えられている。その原因は柱などの木下地が乾燥することによって起こる木痩せ（収縮）や変形にあり、木下地が木痩せ（収縮）するとせっこうボードがそれに追随して内側へ沈み込み、出隅コーナー部の表面に筋状の段差Ｓが発生する。木下地が１ｍｍ痩せれば段差が１ｍｍ発生し、２ｍｍ痩せれば段差が２ｍｍ発生するようなイメージである。図１２は木下地の木痩せ（収縮）の様子を例示した断面図であり、例えば図１２（Ａ）に示すように木下地のある面から対向する面に向かって木痩せしたり、図１２（Ｂ）に示すように木下地の対角線方向に沿って木痩せする場合などがある。このように、木下地の木痩せの影響がダイレクトに出隅の表面に現れてしまい、筋状の段差Ｓが発生するとせっこうボードの表面側に施されたクロスなどの内装仕上材の意匠性を損ね、補修工事を行う必要が発生してしまうという問題点があった。
【先行技術文献】
【特許文献】
【０００５】
【特許文献１】実用新案登録第３０４６１７６号公報
【発明の概要】
【発明が解決しようとする課題】
【０００６】
そこでこの発明は、前記従来の問題を解決し、木下地の木痩せによって筋状の段差が発生するのを可及的に抑制し、出隅コーナー部の表面側を意匠的に優れた状態に維持することができる出隅コーナー部構造及びその施工方法を提供することを目的とする。
【課題を解決するための手段】
【０００７】
前記課題を解決するために、請求項１に記載の発明は、出隅コーナー部構造に係り、  木下地と、この木下地のコーナー部に当てられた出隅鋼板と、この出隅鋼板の上から当てられた面材と、前記出隅鋼板及び面材を共締めしてこれら出隅鋼板と面材を前記木下地に止着する固定具と、を備えてなることを特徴とする。
【０００８】
前記固定具がねじ釘であることにある。
【０００９】
前記出隅鋼板は断面略Ｌ型または断面コ型の鋼材からなり、この鋼材の角部が前記木下地のコーナー部に当てられていることにある。
【００１０】
前記出隅鋼板が、前記木下地の複数のコーナー部のうち少なくとも２箇所以上のコーナー部に当てられていることにある。
【００１１】
前記出隅鋼板には少なくとも２枚以上の面材が当てられ、それぞれの面材が前記出隅鋼板とともに前記固定具で止着されて前記木下地に固定していることにある。
【００１２】
請求項６の発明は、出隅コーナー部の施工方法に係り、木下地のコーナー部に出隅鋼板を当て、その出隅鋼板の上から面材を当ててから、前記出隅鋼板及び前記面材を固定具で止着してこれら出隅鋼板と面材を前記木下地に固定する方法としたことにある。
【００１３】
前記固定具がねじ釘であることにある。
【００１４】
前記出隅鋼板を断面略Ｌ型または断面コ型の鋼材で構成し、この鋼材の角部を前記木下地のコーナー部に当てることにある。
【００１５】
前記出隅鋼板を、前記木下地の複数のコーナー部のうち少なくとも２箇所以上のコーナー部に当てることにある。
【００１６】
前記出隅鋼板に少なくとも２枚以上の面材を当て、それぞれの面材を前記出隅鋼板とともに前記固定具で止着して前記木下地に固定することにある。
【発明の効果】
【００１７】
この発明は、前記のようであって、請求項１に記載の出隅コーナー部構造の発明によれば、木下地と、この木下地のコーナー部に当てられた出隅鋼板と、この出隅鋼板の上から当てられた面材と、前記出隅鋼板及び面材を止着してこれら出隅鋼板と面材を前記木下地に固定する固定具と、を備えるので、木下地に木痩せ（収縮）や木の変形が生じてもこの木下地に当てられた出隅鋼板がその収縮に追随してなめらかな曲面状に変形し、この出隅鋼板のなめらかな曲線状の表面形状に合わせて面材も曲面状に変形する。これにより、面材の表面における木下地に沿った筋状の段差の発生が可及的に抑制され、出隅コーナー部の表面側が意匠的に優れた状態に維持される。
【００１８】
前記固定具がねじ釘である場合には、まず前記出隅鋼板及び面材をねじで共締めしてこれら共締めされた出隅鋼板と面材を前記木下地に螺着して締付固定できる。
【００１９】
前記出隅鋼板は断面略Ｌ型または断面コ型の鋼材からなり、この鋼材の角部が前記木下地のコーナー部に当てられているので、出隅コーナー部の角形状を大きく損なうことなく出隅コーナー部の意匠性が維持される。
【００２０】
前記出隅鋼板が、前記木下地の複数のコーナー部のうち少なくとも２箇所以上のコーナー部に当てられているので、出隅コーナー部における段差の発生がより効果的に抑制される。
【００２１】
前記出隅鋼板には少なくとも２枚以上の面材が当てられ、それぞれの面材が前記出隅鋼板とともに前記固定具て前記木下地に固定しているので、施工箇所に応じて面材を様々な態様で布設することが可能な出隅コーナー部構造を提供することができる。
【００２２】
請求項６に記載の出隅コーナー部の施工方法の発明によれば、木下地のコーナー部に出隅鋼板を当て、その出隅鋼板の上から面材を当ててから、前記出隅鋼板及び前記面材を固定具で止着してこれら出隅鋼板と面材を前記木下地に固定するので、木下地に木痩せ（収縮）が生じてもこの木下地に当てられた出隅鋼板がその収縮に追随して曲面状に変形し、この出隅鋼板の形状に合わせて面材も曲面状に変形する。これにより、面材の表面における筋状の段差の発生を可及的に抑制し、出隅コーナー部の表面側を意匠的に優れた状態に維持することができる。
【００２３】
前記固定具がねじ釘である場合には、まず前記出隅鋼板及び面材をねじで共締めしてこれら共締めされた出隅鋼板と面材を前記木下地に螺着して締付固定できるので、ねじ釘の表面の凹凸により共締め及び木下地材への固定が一層はずれ難くなる。
【００２４】
前記出隅鋼板を断面略Ｌ型または断面コ型の鋼材で構成し、この鋼材の角部を前記木下地のコーナー部に当てるので、出隅コーナー部の形状を大きく損なうことなく出隅コーナー部の意匠性を維持することができる。
【００２５】
前記出隅鋼板を、前記木下地の複数のコーナー部のうち少なくとも２箇所以上のコーナー部に当てるので、出隅コーナー部における段差の発生をより効果的に抑制することができる。
【００２６】
前記出隅鋼板に少なくとも２枚以上の面材を当て、それぞれの面材を前記出隅鋼板とともに前記固定具で止着して前記木下地に固定するので、施工箇所に応じて面材を様々な態様で布設することができ、施工効率が向上する。
【図面の簡単な説明】
【００２７】
【図１】この発明に係る出隅コーナー部構造の一実施の形態を示す断面図である。
【図２】同上の出隅コーナー部構造の一部断面斜視図である。
【図３】同上の出隅コーナー部構造に用いられる出隅鋼板を示し、（Ａ）はその斜視図、（Ｂ）は断面図である。
【図４】同上の出隅コーナー部構造における出隅鋼板の収縮・変形の様子を示す断面図である。
【図５】別の実施形態２を示し、（Ａ）は図１と対応する断面図、（Ｂ）はそれに使用する出隅鋼板の断面図である。
【図６】別の実施形態３を示し、（Ａ）は図１と対応する断面図、（Ｂ）はそれに使用する出隅鋼板の断面図である。
【図７】別の実施形態４を示し、（Ａ）は図１と対応する断面図、（Ｂ）はそれに使用する出隅鋼板の断面図である。
【図８】梁に実施した別の実施形態５を示す断面図である。
【図９】別の実施形態６を示し、（Ａ）及び（Ｂ）は木造軸組工法においてコーナー部がアール形状のせっこうボードを用いた場合の断面図、（Ｃ）は枠組壁工法においてコーナー部がアール形状のせっこうボードを用いた場合の断面図である。
【図１０】従来の出隅コーナー部構造が木痩せによりクロス表面に段差を生じている状態を示す断面図である。
【図１１】従来の出隅コーナー部構造木痩せによりクロス表面に段差を生じている状態の一部断面斜視図である。
【図１２】木下地の木痩せの様子を例示した断面図であり、（Ａ）は木下地のある面から対向する面に向かう木痩せ、（Ｂ）は木下地の対角線方向に沿った木痩せを示す図である。
【発明を実施するための形態】
【００２８】
以下、この発明の一実施の形態について、図面を参照して説明する。
【００２９】
図１は、この発明の一実施の形態である出隅コーナー部構造の断面図であり、図２はこの出隅コーナー部構造の斜視図である。図１において、出隅コーナー部構造１は、木下地としての柱２と、出隅鋼板３と、面材としてのせっこうボード４と、取り付け用ねじ５とを含んで構成されている。
【００３０】
柱２は、主に木造建築物の壁や天井を構成するのに用いられるせっこうボード４を支える木質系材料の下地材である。ここでは、図示のような断面略正方形状の柱２が用いられる例を説明する。柱２には４箇所のコーナー部が形成されているが、このうちコーナー部ｃ１には出隅鋼板３が当てられている。
【００３１】
出隅鋼板３は、図３に示すように、矩形状の鋼製の板を長手方向に沿って略直角に折り曲げ、断面が略Ｌ型状となるように形成されたアングル材であり、２つの平面部３ａ，３ｂと、これら平面部が突き合わされた角部３ｃを有している。出隅鋼板３は、その角部３ｃを柱２のコーナー部ｃ１に当接し、平面部３ａ，３ｂを柱２の表面に被せた状態で設けられている。
【００３２】
出隅鋼板３の平面部３ａ，３ｂは、柱２に収縮や変形が発生したときに、その収縮や変形に緩やかに追随し、なだらかな傾斜面を作る程度の撓み性を有するように硬さが設定されている。平面部３ａ、３ｂの長さは特に限定されるものではないが、せっこうボード４ａ、４ｂが交わるコーナー部の勝ち負けの負けに当る方を若干長くするようにしても良い。また、角部３ｃは、柱２に収縮や変形が生じても角の精度や意匠性を維持し続けることのできる程度の硬さとなるように設定されている。すなわち、出隅鋼板３は、柱２の収縮に合わせて上記のような変形を可能とする平面部３ａ，３ｂと、柱２に収縮が生じても角の精度や意匠性を維持できる角部３ｃとを併せ持つもので、このような変形を可能とするように硬さや板厚及び長さが設定されている。
【００３３】
せっこうボード４は、２枚のせっこうボード４ａ，４ｂからなり、一方のせっこうボード４ａが柱２のコーナー部ｃ１に合わせて出隅鋼板３の外側に布設されている。また、他方のせっこうボード４ｂが、先に布設されたせっこうボード４ａの端面Ｔ１に裏面Ｕ２を被せるようにして、せっこうボード４ａと同様に出隅鋼板３の外側に布設されている。このとき、両ボードは、後から布設されたせっこうボード４ｂの端面Ｔ２が先に布設されたせっこうボード４ａの表面Ｕ１と面一となるように設けられている。
【００３４】
固定具５としてのねじ釘５は、その本体部外周にねじ山が螺旋状に複数形成されている。ねじ５は、せっこうボード４ａ，４ｂの外側から柱２の方向へねじ込まれ、せっこうボード４ａ，４ｂと出隅鋼板３の平面部３ａ，３ｂを共締めして、その先端が柱２の内部にまで達して螺着している。このとき、ねじ釘５のねじ山がせっこうボード４ａ，４ｂや出隅鋼板３の平面部３ａ，３ｂ、さらには柱２に食い込むことで、せっこうボード４ａ，４ｂと出隅鋼板３が柱２に強固に保持される。なお、せっこうボード４ａ，４ｂの表面外側にはパテが塗布され、さらにその表面に仕上げとしてクロスなどの内装仕上材８が貼着されている。
【００３５】
このように構成された出隅コーナー部構造１では、乾燥によって柱２が収縮しても、従来のような出隅コーナー部の表面における段差の発生が抑制される。具体的には、図４に示すように、柱２が空気の乾燥などで中心方向（図４の矢印方向）に収縮すると、ねじ５がその収縮方向に引き込まれる。すると、ねじ釘５の引っ張り力が出隅鋼板３の平面部３ａに作用し、平面部３ａがこの引っ張りに追随するように緩やかに撓んでいく。このとき、出隅鋼板３の角部３ｃはその硬度により角度を略直角に保ち、平面部３ａのみが緩やかに撓んで表面Ｒが滑らかに湾曲（カーブ）した曲面状となる。
【００３６】
ねじ釘５の引っ張り力はせっこうボード４ａにも作用するが、せっこうボード４ａの下には出隅鋼板３が配されているため、せっこうボード４ａは出隅鋼板３の平面部３ａの緩やかな曲面形状に沿う形状にしか変形することができない。すなわち、せっこうボード４ａの変形が出隅鋼板３の平面部３ａによって規制され、せっこうボード４ａも出隅鋼板３の平面部３ａの表面Ｒと同様に表面が緩やかに湾曲（カーブ）した曲面状となる。このようにせっこうボード４ａの表面が曲面状になると、外側から内装仕上材８に光が当たっても陰影がつきにくく、したがって外観上は柱２に収縮が起きていることが分かりにくくなる。
【００３７】
このように、出隅コーナー部構造１では、せっこうボード４の下地側に出隅鋼板３を設定することにより、柱２の収縮や変形が生じても従来のように出隅コーナー部の表面に筋状の段差Ｓを生じることなく、出隅コーナー部の表面側を意匠的に優れた状態に維持することができる。また、出隅鋼板３の角部３ｃの長さを、柱２の縦方向のコーナー部ｃ１をすべて覆うことができる程度に長尺に形成すれば、かかる作用効果を柱のコーナー部ｃ１の延在方向に沿って連続して発揮することができ、より広範囲にわたって出隅コーナー部の表面側の意匠性を維持することができる。
【００３８】
次に、図１及び図２を用いて出隅コーナー部の施工方法について説明する。
【００３９】
まず、柱２に出隅鋼板３をその角部３ｃがコーナー部ｃ１に当接するようにして当てる。次に、出隅鋼板３の上からせっこうボード４ａ，４ｂを当て、さらにせっこうボード４ａ，４ｂの外側からねじ釘５をねじ込み、出隅鋼板３とともにねじ５で共締めして、これら出隅鋼板３とせっこうボード４ａ，４ｂを柱２に一体に螺着する。その後、せっこうボード４ａ，４ｂの表面にパテを塗布したうえ内装仕上材８を貼って仕上げる。以上で出隅コーナー部の施工が完了する。なお、ねじ釘５を打ち込む際、柱２の延在方向（縦方向）に沿って一列に打ち込むようにすると、柱２が収縮したときのねじ釘５の引っ張り力が出隅鋼板３の平面部３ａ，３ｂに対して縦方向に均等に伝わり、平面部３ａ，３ｂを縦方向にも撓ませることができる。
【００４０】
以上、上記実施形態では柱２に出隅鋼板３を当て、その上から２枚のせっこうボード４ａ，４ｂを当てて出隅コーナー部構造１を構成した例について説明したが、これら出隅鋼板３やせっこうボード４ａ，４ｂの配置態様としてはこれ以外にもいくつかのバリエーションが考えられる。以下、出隅コーナー部構造の別の実施形態について説明する。
【００４１】
（実施形態２）
図５は、実施形態２に係る出隅コーナー部構造１を示している。この実施形態２では、木下地が柱で構成される点や、出隅鋼板３の形状及び配置態様は実施形態１と同じであるが、せっこうボード４の配置が実施形態１と異なっている。具体的には、図５（Ａ）に示すように、出隅鋼板３の外側から当てられるせっこうボードが実施形態１のような幅方向に広い一枚もののボードではなく、幅方向に短く区切られた短冊状のボード４ｃ，ｄ、４ｅ，ｆを含むせっこうボード４ｃ〜４ｆで構成されている。それぞれのせっこうボード４ｃ〜４ｆは、ねじ釘５によって出隅鋼板３の平面部３ａ，３ｂとともに共締めされ、柱２に一体に螺着されている。
【００４２】
この実施形態でも、例えば柱２に実施形態１と同様な収縮が生じたとしても、ねじ５による引っ張り力で出隅鋼板３の平面部３ａが撓み、表面が曲面状になる。そして、平面部３ａの上から当てられているせっこうボード４ｃ，ｄが、この平面部３ａの表面形状に沿った形に変形するようになるので、出隅コーナー部の表面における段差の発生が抑制される。
【００４３】
また、短冊状のせっこうボード４ｄ，４ｅは、幅方向に広い一枚もののボードよりも軽量で取り扱いも容易であるため、より精密な作業が求められる柱２のコーナー部ｃ１付近に布設するようにすれば、コーナー部付近の施工が容易となり、施工効率が向上する。なお、図示では説明を分かりやすくするために、せっこうボード４ｃ，４ｄ間やせっこうボード４ｅ，４ｆ間の間隔を広く記載しているが、実際の施工の際はそれぞれのボードは相互に当接させて布設しても差し支えない。
【００４４】
（実施形態３）
図６は、実施形態３に係る出隅コーナー部構造１を示している。この実施形態では、出隅鋼板３の平面部３ａ及び３ｂの側縁部の長さが異なっており、平面部３ａの側縁部の長さが平面部３ｂの約２倍となるように形成されている。そして、これら平面部３ａと３ｂとが角部３ｃで突き合わされて、断面が略不等辺Ｌ字型に形成されている。
【００４５】
出隅鋼板３は、角部３ｃを柱２のコーナー部ｃ１に当接するようにして柱２に当てられ、この出隅鋼板３の上からは複数のせっこうボード４ｃ，４ｄ，４ｇが当てられている。平面部３ａ側には、実施形態２と同様の短冊状のせっこうボード４ｃ，４ｄが当てられている。それぞれのせっこうボード４ｃ，４ｄ，４ｇは、ねじ釘５によって出隅鋼板３とともに共締めされ、柱２に一体に螺着されている。この場合でも、柱２に収縮が生じたとき、実施形態１と同様に出隅鋼板３の平面部３ａがこの収縮に追随して曲面状に撓み、実施形態１と同様の作用効果を奏することができる。この場合、特に段差の発生を抑制したい側の柱２の面に表面積のより大きな平面部３ａを当てるようにすると、その面での段差の発生をより効果的に抑制できる。
【００４６】
（実施形態４）
図７は、実施形態４に係る出隅コーナー部構造１を示している。この実施形態では、実施形態３と同様に断面が略不等辺Ｌ字型の出隅鋼板３を用いているが、出隅鋼板３全体としては実施形態３よりも小型なものを用いている。また、この実施形態では柱２のコーナー部ｃ１に出隅鋼板３が当てられているのに加え、コーナー部ｃ２にも別の出隅鋼板３’が当てられている。そして、出隅鋼板３，３’の上からは複数のせっこうボード４ｈ〜４ｊが当てられ、それぞれのせっこうボード４ｈ〜４ｊがねじ釘５によって出隅鋼板３，３’とともに共締めされ、柱２に一体に螺着されている。
【００４７】
この実施形態の場合、柱２が図５に示す矢印の方向に収縮した場合に、出隅鋼板３の平面部３ａと出隅鋼板３’の平面部３ａ’とがこの収縮に追随してともに撓んでいき、双方の平面部が曲面状に変形する。そして、平面部３ａ，３ａ’の上から当てられているせっこうボード４ｉがこれら平面部３ａ，３ａ’の曲面形状に沿って緩やかな曲面状となることで、コーナー部ｃ１のみならずコーナー部ｃ２においても段差の発生が抑制される。特に、段差の発生を抑制したい側の柱２の面に表面積のより大きな平面部３ａ，３ａ’を当てるようにすると、段差の発生をより効果的に抑制できる。
【００４８】
（実施形態５）
図８は、実施形態５に係る出隅コーナー部構造１を示している。この実施形態では、木下地が柱と同様にコーナー部を有する梁で構成されている。出隅コーナー部構造１は、基本的な構成は図１に示す木下地が柱の場合とほぼ同様であり、図８に示すように、出隅鋼板３と、せっこうボード４と、ねじ釘５と、梁６とを含んで構成されている。
【００４９】
この実施形態でも、例えば梁６が図８に示す矢印の方向（床から天井に向かう方向）に収縮した場合、ねじ５による引っ張り力で出隅鋼板３の平面部３ａが撓み、表面が曲面状になる。そして、平面部３ａの上から当てられているせっこうボード４ａがこの平面部３ａの表面形状に沿った形に変形するようになるので、出隅コーナー部の表面における段差の発生が抑制され、出隅コーナー部の表面側を意匠的に優れた状態に維持することができる。なお、この実施形態では木下地が梁である場合を説明したが、木下地は梁に代えて造作材であってもよい。
【００５０】
（実施形態６）
図９は、実施形態６に係る出隅コーナー部構造を示している。この実施形態では、上記各実施形態で用いられるような一枚ものの板状のせっこうボードに加え、断面略Ｌ型に形成され、そのコーナー部にアール加工が施されたせっこうボードが用いられている。
【００５１】
例えば図９（Ａ）に示す例では、木造軸組工法において、間柱２ａの側面側両端部にこの間柱２ａよりも断面積の小さい２本の支柱２ｂが継ぎ足され、間柱２ａのコーナー部ｃ１に出隅鋼板３が、コーナー部ｃ２に別の出隅鋼板３’がそれぞれ当てられている。また、出隅鋼板３，３’の上からはせっこうボード４ｋ〜４ｎが当てられ、それぞれのせっこうボード４ｋ〜４ｎがねじ釘５によって出隅鋼板３，３’とともに共締めされ、間柱２ａ及び支柱２ｂに一体に螺着されている。また、せっこうボード４ｋ〜４ｎの表面には内装仕上材８が貼り付けられている。
【００５２】
このうち、せっこうボード４ｌ，４ｍは図示のように断面が略Ｌ型に形成され、そのコーナー部の表面には、表面をなめらかに湾曲（カーブ）した形状に形成するアール加工が施されている。また、内装仕上材８も、せっこうボード４ｌ，４ｍのコーナー部のアール形状になめらかに沿うようにして貼り付けられている。
【００５３】
この場合でも、例えば間柱２ｂが乾燥に伴って図９（Ａ）に示す矢印の方向に収縮や変形を起こした場合、ねじ５による引っ張り力で出隅鋼板３，３’の平面部３ａ，３ａ’が撓み、表面が曲面状になる。そして、平面部３ａ，３ａ’の上から当てられているせっこうボード４ｌ，４ｍがこの平面部３ａ，３ａ’の表面形状に沿った形に変形するようになるので、出隅コーナー部の表面における段差の発生が抑制され、出隅コーナー部の表面側を意匠的に優れた状態に維持することができる。
【００５４】
図９（Ｂ）は、木造軸組工法において、間柱２ａの側面側の一方の端部に支柱２ｂを継ぎ足すとともに、図９（Ａ）と同様にコーナー部表面がアール状に形成されたせっこうボード４ｍを用いた場合の例を示し、図９（Ｃ）は、枠組壁工法において、間柱２ｃの側面側にこれと同形状の間柱２ｃをさらに継ぎ足すとともに、コーナー部表面がアール状に形成されたせっこうボード４ｍを用いた場合の例を示している。いずれの場合も、その他の構成は図９（Ａ）の例とほぼ同様のため詳しい説明は省略するが、コーナー部にアール加工が施されたせっこうボード４ｍを用いた場合にも、図９（Ａ）で述べたものと同様の効果を奏することができる。
【００５５】
以上、説明したように、出隅コーナー部構造及び出隅コーナー部の施工方法によれば、柱や梁などの木下地に収縮が発生しても、出隅コーナー部の表面における段差の発生を可及的に抑制することができ、出隅コーナー部の表面側を意匠的に優れた状態に維持することができる。なお、固定具５としてねじ釘５を使用した例について述べたが、ビスや釘などの他の固定具を使用することもできる。
【００５６】
また、コストの面でも施工からメンテナンスに係るトータルコストを低く抑えることができる。特に、建物の施工後に出隅コーナー部の表面に筋状の段差が生じてしまうと、施工会社の担当者は再びその建物まで出向いて状況を確認したり、場合によっては既に貼りつけてある内装仕上材を新品のものに貼り替えたりする必要が生じるなど、手間やコストが増大してしまう。この点、上記した出隅コーナー部構造及びその施工方法によれば、柱や梁などの木下地に収縮や変形が発生しても、従来のように出隅コーナー部の表面に筋状の段差が発生してしまうのを抑制できる。したがって、施工会社の担当者が上記のように現地まで赴いて状況を確認したり、あるいは一度貼った内装仕上材を新品のものに貼り替えたりする手間を省くことができ、トータルコストも低く抑えることができる。
【００５７】
なお、本願発明者等は、上記した出隅コーナー部構造の効果を確認すべく、北海道札幌市で木造軸組工法と枠組壁工法により施工された建売住宅数棟において、実際に出隅コーナー部構造を用いた実証実験を行った。その結果、出隅コーナー部構造を取り入れた住宅では、施工から１年以上が経過した時点でも柱や梁などの出隅コーナー部の表面には筋状の段差が発生することもなく、経過はきわめて良好であった。
【００５８】
以上、出隅コーナー部構造及びその施工方法について説明したが、ここで説明した各実施形態はあくまで一例であり、本発明は上記各実施形態で説明した実施態様に限定されるものではない。例えば、上記各実施形態では、出隅鋼板３を柱２や梁６のコーナー部ｃ１、ｃ２に当てた例を説明したが、出隅鋼板３の配置はこれに限らず、例えば柱２や梁６のすべてのコーナー部に当てられていてもよい。また、上記各実施形態では、出隅鋼板３を断面Ｌ型のアングル材で構成した例を説明したが、出隅鋼板３はこれに代えて断面コ型の鋼材（チャンネル材）で構成してもよく、その場合は断面コ型の鋼材の２つの角部を木下地の異なるコーナー部に当てるようにするとよい。さらに、出隅鋼板３と柱２や梁６などの木下地との間に、気密性を確保するための気密シートが挟み込まれていてもよい。
【００５９】
また、上記各実施形態では、面材としてせっこうボード４を用いた例を説明したが、面材としてはせっこうボードに限らず、それ以外の材質からなるボードであってもよい。また、せっこうボードなどの面材の表面に、樹脂製や鋼製のコーナー材を配し、重量物が出隅鋼板３に衝突したときに面材が凹まないようにしてもよい。また、面材の配置数や配置態様についても、上記各実施形態で説明したものに限らず、特許請求の範囲に記載した範囲内であればこれ以外の態様であっても差し支えない。
【符号の説明】
【００６０】
１  出隅コーナー部構造
２  柱
３  出隅鋼板（Ｌ型アングル材）
３ａ，３ｂ  平面部
３ｃ  角部
４  面材（せっこうボード）
５  固定具（ねじ釘）
６  梁
８  内装仕上材
ｃ１，ｃ２  コーナー部  
【図１】
2019019635.tif 000003
【図２】
2019019635.tif 000004
【図３】
2019019635.tif 000005
【図４】
2019019635.tif 000006
【図５】
2019019635.tif 000007
【図６】
2019019635.tif 000008
【図７】
2019019635.tif 000009
【図８】
2019019635.tif 000010
【図９】
2019019635.tif 000011
【図１０】
2019019635.tif 000012
【図１１】
2019019635.tif 000013
【図１２】
2019019635.tif 000014